(57)【要約】  本発明の金属触媒担体は、排気ガスが通過する空間を有するケースと、前記ケースに交互に積層され触媒がコーティングされる平板および波形板を含み、前記波形板は前記平板を間において第１波形板と第２波形板が配置され、前記第１波形板と第２波形板は、第１波形部と第２波形部が交互に繰り返して形成され、前記第１波形部の頂点と第２波形部の頂点が向き合うように一致させて配列されて、外部の衝撃や振動および温度変化に応じた熱膨張時の変形を最小化できる。【選択図】  図１
2019534142.tif 000002
【特許請求の範囲】
【請求項１】
排気ガスが通過する空間を有するケース；および
前記ケースに交互に積層され触媒がコーティングされる平板および波形板；を含み、
前記波形板は、前記平板を間において第１波形板と第２波形板が配置され、前記第１波形板と第２波形板は、第１波形部と第２波形部が交互に繰り返して形成され、前記第１波形部の頂点と第２波形部の頂点が向き合うように一致させて配列される、金属触媒担体。
【請求項２】
前記第１波形部の頂点には凸部が形成され、前記第２波形部の頂点には凹部が形成され、前記平板には凹凸部が形成されて凸部が凹凸部に挿入され、凹凸部が凹部に挿入される、請求項１に記載の金属触媒担体。
【請求項３】
同じサイズを有する複数の板部材が一定の間隔で移送される移送部と、
前記移送部に移送される板部材に第１波形部と第２波形部を繰り返して形成するように互いに噛み合って回転する第１成形ローラおよび第２成形ローラと、
前記板部材が第１成形ローラと第２成形ローラに嵌合する開始地点を一致させてすべての板部材の形状を同一に成形する位置整列ユニットと、を含む、金属触媒担体の製造装置。
【請求項４】
前記移送部は、板部材が安着された状態で移送されるベルトコンベヤである、請求項３に記載の金属触媒担体の製造装置。
【請求項５】
前記位置整列ユニットは、板部材を第１成形ローラと第２成形ローラの開始地点Ｐに投入する投入ユニットと、
前記開始地点に板部材が位置するとこれを感知する位置感知センサーと、
前記位置感知センサーで印加される信号によって投入ユニットの作動を制御する制御部と、を含む、請求項３に記載の金属触媒担体の製造装置。
【請求項６】
前記投入ユニットは、前記制御部が前記移送ユニットを制御して板部材を開始地点に投入する方法と、前記移送ユニットの一側に別途の投入装置を設置して板部材を開始地点に移動させる方法のうちいずれか１つを使用する、請求項５に記載の金属触媒担体の製造装置。
【請求項７】
同じサイズの板部材を移送部に沿って移動させる段階と、
前記板部材が設定された位置に到着すれば板部材の前方が開始地点に位置するように整列させる段階と、
開始地点に整列した板部材に第１波形部と第２波形部を交互に成形して波形板を製作する段階と、
製作された波形板と平板を交互にケース内部に積層する段階と、を含む、金属触媒担体の製造方法。
【請求項８】
前記波形板は、第１波形部の頂点と第２波形部の頂点が向き合うように一致させて配列される、請求項７に記載の金属触媒担体の製造方法。
【請求項９】
前記波形板を製作する段階は、波形板が互いに噛み合って回転する第１成形ローラと第２成形ローラの間を通過して製作される、請求項７に記載の金属触媒担体の製造方法。
【請求項１０】
前記板部材を開始地点に整列させる段階は、板部材が移送部に沿って移動して設定位置に到着すれば投入ユニットが作動して板部材を開始地点に移動させる段階と、
前記板部材が開始地点に位置すると位置感知センサーがこれを感知してその信号を制御部に印加する段階と、
前記制御部が投入ユニットの作動を停止して板部材を開始地点に整列させる段階と、を含む、請求項７に記載の金属触媒担体の製造方法。
【発明の詳細な説明】
【技術分野】
【０００１】
本発明は、相互積層される波形板の頂点が互いに一致するようにする金属触媒担体、その製造方法および製造装置に関する。
【背景技術】
【０００２】
排気ガスに含まれている窒素酸化物、硫酸化物、一酸化炭素、炭化水素などの公害物質は人類環境に大きな威嚇となっており、各国では有害排出ガスの規制を強化するか、これを減少するための技術の開発も加速されている。
【０００３】
排出量が最も多い自動車分野では、排気ガスが人間の生活する陸上の環境に直接的な影響を与えるため、規制の要請も高く、処理技術も早くから進んできた。それに比べて、船舶の排気ガス規制は比較的最近になって国際海事機関（ＩＭＯ）および先進国を中心に実質的な対策作りが活発な方である。
【０００４】
国際海事機関の造船・海運産業関連環境規制に対応するための緑色船舶の排気ガス後処理技術中の窒素酸化物（ＮＯｘ）の低減分野では、性能、安全性および経済性が検証された選択的触媒還元（ＳＣＲ；Ｓｅｌｅｃｔｉｖｅ  Ｃａｔａｌｙｔｉｃ  Ｒｅｄｕｃｔｉｏｎ）システムが脚光を浴びている。
【０００５】
ＳＣＲシステムは、ハニカム構造の触媒担体が装着された反応器を含んでおり、触媒担体は、ＮＯｘとアンモニア（ＮＨ３）が混合された排気ガスが還元反応を通じて窒素と水が生成されるように誘導する。触媒担体の材料としては、低費用の量産が容易なセラミック押出材が考案されたりもしたが、薄い厚さに製作が可能でかつ機械的特性に優れた金属担体の使用も増加している。
【０００６】
韓国公開特許第１０−２０１２−０１１７４２６号公報においては、触媒担体を単位触媒担体ブロック形態で製作し、これを組み立てる構造であって、組立部材は隣接した単位触媒担体ブロックの間を締結するための要素の中心になっており、締結の箇所が多く複雑な構造を持っている。
【０００７】
また、単位触媒担体ブロックには、表面に触媒がコーティングされた金属薄板材質の波板および平板から製作された波板／平板組立体によって多数の中空型セルが形成されたセル形成体がセル形成体の形状に対応する多角形構造としてセル形成体を収容して挿入するための支持体を含んでいる。
【０００８】
さらに、表面に触媒がコーティングされた金属薄板材質の波板および平板から製作された波板／平板組立体を使用して具現される従来の金属担体は、波板と平板をブレージング（ｂｒａｚｉｎｇ）、ウェルディング（ｗｅｌｄｉｎｇ）、ソルダリング（ｓｏｌｄｅｒｉｎｇ）、拡散接合（ｄｉｆｆｕｓｉｏｎ  ｂｏｎｄｉｎｇ）等の接合（ｊｏｉｎｉｎｇ）方法で一体化した波板／平板組立体を使用するために生産性が落ちて、価格競争力の確保が難しい問題がある。
【０００９】
また、波板と平板を交互に積層して製作するとき、波板間の頂点が互いに一致できず外部の振動や衝撃または温度変化などによって波板と平板が変形される問題がある。
【発明の概要】
【発明が解決しようとする課題】
【００１０】
したがって、本発明の目的は、積層される波形板の頂点が互いに向き合うように一致させることによって、外部の衝撃や振動および温度変化に応じた熱膨張時の変形を最小化することができる金属触媒担体を提供することにある。
【００１１】
本発明の他の目的は、波形板の頂点に凸部と凹部をそれぞれ形成し、平板に凹凸部を形成して相互挿入されるようにして波形板と平板の間を別途の接合なしに固定できる金属触媒担体を提供することにある。
【００１２】
本発明のまた他の目的は、波形板を生産する製造工程で波形板の形状を同一に製造することにより、波形板の形状を一致させるための別途のカッティング工程を必要としないので、製造工程を短縮できる金属触媒担体の製造方法および製造装置を提供することにある。
【課題を解決するための手段】
【００１３】
本発明の金属触媒担体は、排気ガスが通過する空間を有するケースと、前記ケースに交互に積層され触媒がコーティングされる平板および波形板を含み、前記波形板は、前記平板を間において第１波形板と第２波形板が配置され、前記第１波形板と第２波形板は第１波形部と第２波形部が交互に繰り返して形成され、前記第１波形部の頂点と第２波形部の頂点が向き合うように一致させて配列される。
【００１４】
前記第１波形部の頂点には凸部が形成され、前記第２波形部の頂点には凹部が形成され、前記平板には凹凸部が形成されて凸部が凹凸部に挿入され、凹凸部が凹部に挿入され得る。
【００１５】
金属触媒担体の製造装置は、同じサイズを有する複数の板部材が一定の間隔で移送される移送部と、前記移送部に移送される板部材に第１波形部と第２波形部を繰り返して形成するように互いに噛み合って回転する第１成形ローラおよび第２成形ローラと、前記板部材が第１成形ローラと第２成形ローラに嵌合する開始地点を一致させて、すべての板部材の形状を同一に成形する位置整列ユニットを含むことができる。
【００１６】
前記移送部は、板部材が安着された状態で移送されるベルトコンベヤを使用することができる。
【００１７】
前記位置整列ユニットは、板部材を第１成形ローラと第２成形ローラの開始地点Ｐに投入する投入ユニットと、前記開始地点に板部材が位置するとこれを感知する位置感知センサーと、前記位置感知センサーで印加する信号によって投入ユニットの作動を制御する制御部と、を含むことができる。
【００１８】
前記投入ユニットは、前記制御部が前記移送ユニットを制御して板部材を開始地点に投入する方法と、前記移送ユニットの一側に別途の投入装置を設置して板部材を開始地点に移動させる方法のうちいずれか１つを使用することができる。
【００１９】
金属触媒担体の製造方法は、同じサイズの板部材を移送部に沿って移動させる段階と、前記板部材が設定された位置に到着すると板部材の前方が開始地点に位置するように整列させる段階と、開始地点に整列した板部材に第１波形部と第２波形部を交互に成形して波形板を製作する段階と、製作された波形板と平板を交互にケース内部に積層する段階と、を含むことができる。
【００２０】
前記波形板は、第１波形部の頂点と第２波形部の頂点が向き合うように一致させて配列することができる。
【００２１】
前記板部材を開始地点に整列させる段階は、板部材が移送部に沿って移動して設定位置に到着すると投入ユニットが作動して板部材を開始地点に移動させる段階と、前記板部材が開始地点に位置すると位置感知センサーがこれを感知してその信号を制御部に印加する段階と、前記制御部が投入ユニットの作動を停止して板部材が開始地点に整列されるようにする段階と、を含むことができる。
【発明の効果】
【００２２】
前記のように、本発明では、積層される波形板の頂点が互いに向き合うように一致させることによって、外部の衝撃や振動および温度変化に応じた熱膨張時の変形を最小化できる。
【００２３】
また、波形板の頂点に凸部と凹部をそれぞれ形成し、平板に凹凸部を形成して相互挿入されるようにして波形板と平板との間を別途の接合なしに固定できる。
【００２４】
また、波形板を生産する製造工程で波形板の形状を同一に製造することによって、波形板の形状を一致させるための別途のカッティング工程を必要としないので、製造工程を短縮することができる。
【図面の簡単な説明】
【００２５】
【図１】本発明の第１実施例による金属触媒担体の正面図である。
【図２】本発明の第２実施例による金属触媒担体の正面図である。
【図３】本発明に係る金属触媒担体の製造装置の構成図である。
【図４】本発明に係る投入ユニットを示すブロック図である。
【図５】本発明に係る金属触媒担体の製造方法を示す工程フローチャートである。
【発明を実施するための形態】
【００２６】
以下、添付した図面を参照して本発明に係る実施例を詳しく説明する。この過程で図面に示された構成要素の大きさや形状などは説明の明瞭性と便宜のために誇張して示されることもある。また、本発明の構成および作用を考慮して特に定義された用語は、使用者や運用者の意図または慣例によって異なることがある。このような用語に対する定義は本明細書全般にわたった内容に基づいて下されるべきである。
【００２７】
図１を参照すると、本発明の第１実施例による金属触媒担体は、両側が貫通されたケース１０と、ケース１０に交互に積層される平板２０と、波形板３０と、からなる。
【００２８】
金属触媒担体は船舶や発電所、焼却場のような大型プラントなどのエンジンや炉（ｆｕｒｎａｃｅ）に装着されて窒素酸化物（ＮＯｘ）とアンモニア（ＮＨ３）が混合された排気ガスが還元反応を通じて窒素と水が生成されるように構成されている。
【００２９】
触媒担体は、排気管の間に配置されることで、内部に触媒を支持する大容量の触媒担体が多段または一段の形態で配置され得る。
【００３０】
ケース１０は両端が開口された四角形状であり、その両端は排気管に連結される。平板２０と波形板３０は耐熱性金属薄板で形成され、その厚さは２０〜１００μｍであることが好ましい。
【００３１】
波形板３０は波形状または凹凸形状に形成され、平板２０は平らな板形状に形成され、ケース１０内部に相互交互に積層されると排気ガスが通過する通路が形成される。このような平板２０と波形板３０の表面には排気ガスと反応して浄化させる触媒物質がコーティングされる。
【００３２】
波形板３０は、平板２０を間において第１波形板３２と第２波形板３４が交互に繰り返して積層され、第１波形板３２と第２波形板３４にはそれぞれ上方に向かって膨らむように突出する第１波形部４２と、下方に向かって膨らむように突出する第２波形部４４が繰り返されて波形状に形成される。
【００３３】
第１波形板３２の第１波形部４２の頂点Ａと第２波形板３４の第２波形部４４の頂点Ｂが互いに向き合うように一致させて組み立てられる。つまり、平板２０を間において第１波形部４２の頂点Ａと第２波形部４４の頂点Ｂが互いに向き合うように組み立てられる。
【００３４】
このように、波形板３０の頂点が互いに一致するように組み立てられるため、波形板３０の間の支持力が向上して外部の衝撃や振動および排気ガスが通過する圧力および温度変化に応じた熱膨張などによる波形板３０と平板２０の変形を最小化できる。
【００３５】
第２実施例による金属触媒担体は、図２に示されているように、波形板３０の第１波形部４２の頂点には長さ方向に凹部５０が形成され、第２波形部４４の頂点には長さ方向に凸部５２が形成され、平板２０には凸部５２と凹部５０とが接する地点に凹凸部５４が形成される。
【００３６】
したがって、第１波形板３２、平板２０および第２波形板３４を交互に積層すれば、第１波形板３２の凹部５０に平板２０の凹凸部５４が挿入され、平板２０の凹凸部５４に第２波形板４４の凸部５２が挿入されて、第１波形板３２、平板２０および第２波形板３４の間が相互噛み合う形状になり、波形板と平板の間を別途の接合なしに固定できる。
【００３７】
第１実施例による金属触媒担体のように、波形板の間の頂点が互いに一致するように組み立てるためには、すべての波形板の形状を同一に製造しなければならない。つまり、波形板の両側周縁の波形部が形成される開始位置を全て同一に形成しなければ、波形板を組み立てるときに波形板の頂点が一致しなくなる。
【００３８】
このように、波形板の周縁の開始位置を同一に形成するためには、波形板を製造した後、別途の工程で波形板の周縁の開始点を一致させた後に切断工程を行わなければならない。
【００３９】
この場合、波形板の周縁を一致させるために、波形板の周縁を切断する別途の工程を必要とするため、製造工程を追加しなければならない問題がある。
【００４０】
本発明の金属触媒担体の製造装置は、波形板を製造する工程で波形板の開始点が一致するように製造することによって、波形板の周縁を切断して合わせる別途の工程を必要としなくなる。
【００４１】
本発明の触媒担体製造装置は、図３に示されているように、同じサイズで平板形状の板部材６２が順次に移送される移送部６０と、移送部６０によって移送される板部材６２に第１波形部４２と第２波形部４４が交互に形成されるように波形状の波形を形成する成形ローラ６４、６６と、成形ローラ６４、６６の前方に配置されて成形ローラ６４、６６に引き込む板部材６２の開始地点Ｐを一致させる位置整列部６８と、を含む。
【００４２】
移送部６０はベルトコンベヤであって、複数の板部材６２が一列に配列されて順次移送されて成形ローラ６４、６６に供給される。
【００４３】
成形ローラ６４、６６は、外面にギヤ歯を形成する第１成形ローラ６４と、第１成形ローラと同じ形状であり、第１成形ローラ６４と噛み合って回転する第２成形ローラ６６と、で構成され、第１成形ローラ６４と第２成形ローラ６６との間を板部材６２が通過すれば板部材６２に第１波形部４２と第２波形部４４が繰り返して形成される。
【００４４】
位置整列部６８は図３に示されているように、第１成形ローラ６４と第２成形ローラ６６に板部材６２が嵌合する開始地点Ｐと第１成形ローラ６４と第２成形ローラ６６を通過して排出する終了地点が一致するようにしてすべての波形板３０の形状を同一に形成する。
【００４５】
位置整列ユニット６８は図３に示されているように、移送部６０によって移送される板部材６２を第１成形ローラ６４と第２成形ローラ６６の開始地点Ｐに投入する投入ユニット７２と、第１成形ローラ６４と第２成形ローラ６６に板部材６２が嵌合する開始地点に板部材６２が位置すると、これを感知する位置感知センサー７４と、位置感知センサー７４で印加される信号によって投入ユニット７２の作動を制御する制御部７６と、を含む。
【００４６】
位置感知センサー７４は、開始地点Ｐに配置されて板部材６２の前面を感知する方法と、移送部６０に設置されて板部材６２の前面が開始地点に位置すると板部材６２の後面を感知する方法を使用することができる。
【００４７】
投入ユニット７２は、板部材６２を開始地点に投入するいかなる方法も適用可能である。一例として、移送部６０が投入ユニットの役割を同時に行い、板部材６２が開始地点に到達すれば移送部６０の動作が停止するタイプが適用され得、板部材６２を直接移動させるステップモータタイプやシリンダータイプが適用され得る。
【００４８】
ここで、開始地点Ｐは、第１成形ローラ６４と第２成形ローラ６６が互いに噛み合って回転するときに板部材６２が第１成形ローラ６４と第２成形ローラ６６の間に嵌合する地点で、板部材６２が開始地点Ｐに位置すると第１成形ローラ６４と第２成形ローラ６６に嵌合する地点が常に一致するため、波形板３０の形状が同一の波形板を連続的に生産することができる。
【００４９】
このように、構成される金属触媒担体の製造装置を用いた金属触媒担体の製造方法を以下で説明する。
【００５０】
このように、構成される金属触媒担体の製造方法について説明する。
【００５１】
図５は、本発明の一実施例による金属触媒担体の製造方法を示す工程フローチャートである。
【００５２】
まず、平板形状の板部材６２を同じサイズに切断する（Ｓ１０）。その後、板部材６２を移送部６０に一定の間隔で整列させ、移送部６０が作動すると板部材６２は移送部６０によって移動する（Ｓ２０）。
【００５３】
板部材６２が移送部６０に沿って移動して第１成形ローラ６４と第２成形ローラ６６の前方である設定地点に到達すれば、位置整列ユニット６８によって板部材６２の前方が開始地点Ｐに整列する。そうすると、第１成形ローラ６４と第２成形ローラ６６に開始地点Ｐに位置した板部材６２の前方が嵌合し、板部材６２が第１成形ローラ６４と第２成形ローラ６６を通過しながら第１波形部４２と第２波形部４４が交互に形成された波形板３０を製作することになる。
【００５４】
この時、板部材６２が開始地点Ｐに位置すると第１成形ローラ６４と第２成形ローラ６６に嵌合する板部材６２の位置が常に一定であるため、製作される波形板３０の形状を同一に製作することができる。
【００５５】
したがって、波形板３０の形状を同一に製作するための別途のカッティング工程を必要としないため、製造工程を短縮することができる。
【００５６】
位置整列ユニット６８の作用を見てみると、板部材６２が移送部６０に沿って移動して設定位置に到着すれば、投入ユニット７２が作動して板部材６２を開始地点Ｐに移動させる。そして、板部材６２が開始地点Ｐに位置すると位置感知センサー７４がこれを感知してその信号を制御部７６に印加し、制御部７６は投入ユニット７２の作動を停止して板部材６２が開始地点Ｐに整列できるようにする。
【００５７】
このような工程によって波形板３０の製作が完了した後、ケース１０に第１波形板３２、平板２０および第２波形板３４を交互に積層することで、金属触媒担体の製作が完了する。ここで、第１波形板３２と第２波形板３４の形状は同一であり、第２波形板３４は第１波形板３２をひっくり返した形状である。
【００５８】
波形板３０の形状はいずれも同じであるため、四角筒形状のケース１０内部に積層すれば第１波形板３２の第１波形部４２の頂点と第２波形板３４の第２波形部４４の頂点が互いに向き合うように整列される。
【産業上の利用可能性】
【００５９】
本発明は、自動車や船舶などのエンジンで発生する排気ガスに含まれている窒素酸化物、硫酸化物、一酸化炭素、炭化水素などの公害物質を除去する金属触媒担体であって、波形板間の頂点が互いに向き合うように一致させることによって、外部の衝撃や温度変化に応じた熱膨張時の変形を最小化して寿命を延長することができる。
【図１】
2019534142.tif 000003
【図２】
2019534142.tif 000004
【図３】
2019534142.tif 000005
【図４】
2019534142.tif 000006
【図５】
2019534142.tif 000007
【国際調査報告】
2019534142.tif 000008
2019534142.tif 000009
2019534142.tif 000010
2019534142.tif 000011